(57)【要約】【課題】ユーザーが意識せずとも、自動でＥＰＧを利用した録画予約管理が可能な記録再生装置、番組記録方法、およびプログラムを提供する。【解決手段】ユーザーがＥＰＧを意識せず録画予約をした場合に、シリーズ録画予約に関してもＥＰＧを意識せずに実行することができる。また、録画番組履歴情報１５０および視聴番組履歴情報１５１を記憶することにより、ＥＰＧ情報１５３に含まれない期間の予約に関しても繰り返しを予想できるため、年に一度の放送にも対応可能で、情報未確定フラグを立てることにより、より確実にシリーズ録画予約が可能となる。【選択図】図２
2007235193.tif 000002
【特許請求の範囲】
【請求項１】
録画情報を表示する表示部と、
番組情報を取得する通信部と、
前記番組情報と、録画した動画情報と、前記録画した動画情報の録画番組履歴情報とを記憶する記憶部と、
前記番組情報を参照せずに録画操作を実行した際に、前記番組情報または前記録画番組履歴情報を参照して録画予約情報を設定し、シリーズ録画予約する制御部とを有することを特徴とする記録再生装置。
【請求項２】
前記制御部は、前記番組情報に含まれていない情報未定番組をシリーズ録画予約する際、前記情報未定番組にフラグを立て、再び番組情報を取得した際に前記録画予約情報を修正する請求項１に記載の記録再生装置。
【請求項３】
視聴情報を表示する表示部と、
番組情報を取得する通信部と、
前記番組情報と、録画した動画情報と、前記録画した動画情報の録画番組履歴情報と、過去に視聴した番組の履歴と視聴頻度を含む視聴番組履歴情報とを記憶する記憶部と、
視聴中の番組の前記視聴頻度が一定基準を超えた際に、前記番組情報または前記録画番組履歴情報を参照して録画予約情報を設定し、シリーズ録画予約する制御部とを有することを特徴とする記録再生装置。
【請求項４】
前記制御部は、シリーズ録画予約しない場合は同一内容で視聴予約する請求項３に記載の記録再生装置。
【請求項５】
前記制御部は、前記過去に視聴した番組の視聴回数や、視聴番組のジャンルによる視聴回数、および出演者による視聴回数に基づいて前記視聴頻度を決定する請求項３に記載の記録再生装置。
【請求項６】
手動で番組の録画操作が行われた際に、前記番組の情報を含む番組情報を通信部を介して取得する第１の行程と、
前記番組情報を制御部により参照して前記番組が繰り返し番組かどうか判定する第２の行程と、
前記繰り返し番組を制御部が自動で前記番組情報を参照して録画予約情報を設定しシリーズ録画予約する第３の行程とを有することを特徴とする番組記録方法。
【請求項７】
視聴中の番組の番組情報を通信部を介して取得する第１の行程と、
前記番組情報を記憶部に記憶された視聴番組履歴情報に追加し視聴頻度を算出する第２の行程と、
前記視聴中の番組が繰り返し番組であるかどうかを判別する第３の行程と、
前記視聴頻度が一定以上の値を有し、前記視聴中の番組が繰り返し番組である場合に、前記繰り返し番組を制御部が自動で前記番組情報を参照して録画予約情報を設定しシリーズ録画予約する第４の行程とを有することを特徴とする番組記録方法。
【請求項８】
前記第４の行程は、シリーズ録画予約しない場合は同一内容で視聴予約する請求項７に記載の番組記録方法。
【請求項９】
操作者が番組情報を参照することなしに、繰り返し番組を自動的に録画予約するためにコンピュータを、
録画番組の情報が含まれる番組情報を取得する情報記憶部と、
前記録画番組が繰り返し番組かどうか判別する情報判別部と、
前記録画番組が繰り返し番組の場合に、前記番組情報を参照して録画予約情報を設定しシリーズ録画予約する録画予約部として機能させるためのプログラム。
【請求項１０】
操作者が番組情報を参照することなしに、繰り返し番組を自動的に録画予約するためにコンピュータを、
視聴中の番組の情報が含まれる番組情報を取得する情報記憶部と、
予め記録された視聴番組履歴情報に前記番組情報を追加し、前記視聴中の番組の視聴頻度を算出する視聴頻度算出部と、
前記視聴頻度に基づいて前記視聴中の番組が一定以上の視聴頻度を有するかどうか判別する視聴頻度判別部と、
前記視聴中の番組が繰り返し番組かどうか前記番組情報を参照することにより判別する情報判別部と、
前記視聴中の番組が一定以上の視聴頻度を有し、繰り返し番組である場合に、前記番組情報を参照して録画予約情報を設定しシリーズ録画予約する録画予約部として機能させるためのプログラム。
【請求項１１】
前記録画予約部は、前記操作者が録画予約をキャンセルした場合に、前記録画予約情報と同一の設定において視聴予約する視聴予約部として機能させる請求項１０に記載のプログラム。
【発明の詳細な説明】
【技術分野】
【０００１】
本発明は、ＥＰＧ（Ｅｌｅｃｔｒｏｎｉｃ  Ｐｒｏｇｒａｍ  Ｇｕｉｄｅ）を利用した記録再生装置、番組記録方法、およびプログラムに関する。
【背景技術】
【０００２】
従来、電子情報として送信されてくる電子番組情報（ＥＰＧ）を受信し、そのＥＰＧを利用して録画予約を行う録画予約管理装置が知られている（例えば、特許文献１）。
【０００３】
この録画予約管理装置によると、ＥＰＧを利用して毎週放送されるシリーズ番組を自動録画したり、ＥＰＧを参照して録画時間が変更された場合も柔軟に録画時間を拡縮して対応することが可能である。
【特許文献１】特開２００１−１５５３９３号公報
【発明の開示】
【発明が解決しようとする課題】
【０００４】
しかし、従来の録画予約管理装置によると、ユーザーがＥＰＧを利用せずに録画予約した場合には、それらの機能を使用できないという問題があった。
【０００５】
従って、本発明の目的は、ユーザーが意識せずとも、自動でＥＰＧを利用した録画予約管理が可能な記録再生装置、番組記録方法、およびプログラムを提供することにある。
【課題を解決するための手段】
【０００６】
（１）本発明は上記目的を達成するため、録画情報を表示する表示部と、番組情報を取得する通信部と、前記番組情報と、録画した動画情報と、前記録画した動画情報の録画番組履歴情報とを記憶する記憶部と、前記番組情報を参照せずに録画操作を実行した際に、前記番組情報または前記録画番組履歴情報を参照して録画予約情報を設定し、シリーズ録画予約する制御部とを有することを特徴とする記録再生装置を提供する。
【０００７】
（２）本発明は上記目的を達成するため、視聴情報を表示する表示部と、番組情報を取得する通信部と、前記番組情報と、録画した動画情報と、前記録画した動画情報の録画番組履歴情報と、過去に視聴した番組の履歴と視聴頻度を含む視聴番組履歴情報とを記憶する記憶部と、視聴中の番組の前記視聴頻度が一定基準を超えた際に、前記番組情報または前記録画番組履歴情報を参照して録画予約情報を設定し、シリーズ録画予約する制御部とを有することを特徴とする記録再生装置を提供する。
【０００８】
（３）本発明は上記目的を達成するため、手動で番組の録画操作が行われた際に、前記番組の情報を含む番組情報を通信部を介して取得する第１の行程と、前記番組情報を制御部により参照して前記番組が繰り返し番組かどうか判定する第２の行程と、前記繰り返し番組を制御部が自動で前記番組情報を参照して録画予約情報を設定しシリーズ録画予約する第３の行程とを有することを特徴とする番組記録方法を提供する。
【０００９】
（４）本発明は上記目的を達成するため、視聴中の番組の番組情報を通信部を介して取得する第１の行程と、前記番組情報を記憶部に記憶された視聴番組履歴情報に追加し視聴頻度を算出する第２の行程と、前記視聴中の番組が繰り返し番組であるかどうかを判別する第３の行程と、前記視聴頻度が一定以上の値を有し、前記視聴中の番組が繰り返し番組である場合に、前記繰り返し番組を制御部が自動で前記番組情報を参照して録画予約情報を設定しシリーズ録画予約する第４の行程とを有することを特徴とする番組記録方法を提供する。
【００１０】
（５）本発明は上記目的を達成するため、操作者が番組情報を参照することなしに、繰り返し番組を自動的に録画予約するためにコンピュータを、録画番組の情報が含まれる番組情報を取得する情報記憶部と、前記録画番組が繰り返し番組かどうか判別する情報判別部と、前記録画番組が繰り返し番組の場合に、前記番組情報を参照して録画予約情報を設定しシリーズ録画予約する録画予約部として機能させるためのプログラムを提供する。
【００１１】
（６）本発明は上記目的を達成するため、操作者が番組情報を参照することなしに、繰り返し番組を自動的に録画予約するためにコンピュータを、視聴中の番組の情報が含まれる番組情報を取得する情報記憶部と、予め記録された視聴番組履歴情報に前記番組情報を追加し、前記視聴中の番組の視聴頻度を算出する視聴頻度算出部と、前記視聴頻度に基づいて前記視聴中の番組が一定以上の視聴頻度を有するかどうか判別する視聴頻度判別部と、前記視聴中の番組が繰り返し番組かどうか前記番組情報を参照することにより判別する情報判別部と、前記視聴中の番組が一定以上の視聴頻度を有し、繰り返し番組である場合に、前記番組情報を参照して録画予約情報を設定しシリーズ録画予約する録画予約部として機能させるためのプログラムを提供する。
【発明の効果】
【００１２】
本発明によれば、ユーザーが意識せずとも、自動でＥＰＧを利用した録画予約管理、番組記録方法、およびプログラムが可能となる。
【発明を実施するための最良の形態】
【００１３】
以下に、本発明の記録再生装置の実施の形態を図面を参考にして詳細に説明する。
【００１４】
〔第１の実施の形態〕
（電子機器の構成）
図１は、本発明の第１の実施の形態に係る電子機器としてのノート型パーソナルコンピュータの概略構成図である。
【００１５】
このノート型パーソナルコンピュータ１は、本体部２０と可動部２１から構成され、ヒンジ部２１１により開閉自在に接続されている。本体部２０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成され、文字やコマンドを入力するための文字入力部２００と、ポインティングデバイスとしてのタッチパッド２０１、および左スイッチ２０２Ａと右スイッチ２０２Ｂを含む決定スイッチ２０２とを有する。可動部２１は、文字や画像等を表示する液晶表示部２１０を有する。
【００１６】
（記録再生装置の構成）
図２は、本発明の第１の実施の形態に関する記録再生装置の概略構成図である。
【００１７】
この記録再生装置１００は、インターネットや他の映像機器と通信可能な通信部１０と、映像および音声情報を受信して信号変換するチューナ部１１と、図１に示す液晶表示部２１０を含み文字や画像を表示する表示部１２と、表示部１２の表示に関する制御を行う表示制御部１３と、記録再生装置１００を操作し、図１に示す文字入力部２００とタッチパッド２０１と決定スイッチ２０２を含むＩ／Ｆ部１４と、さまざまな情報を磁気情報として記憶する記憶部１５と、記録再生装置１００の各部を統括しそれぞれ動作させる制御部１６とを有する。
【００１８】
記憶部１５は、録画した番組の履歴を記憶している録画番組履歴情報１５０と、視聴した番組の履歴を記憶している視聴番組履歴情報１５１と、録画した実データを保存している録画映像情報１５２と、録画番組履歴情報１５０と視聴番組履歴情報１５１の番組名や放送時間等の情報を含むＥＰＧデータを保存しているＥＰＧ情報１５３を格納している。
【００１９】
制御部１６は、録画番組履歴情報１５０と視聴番組履歴情報１５１を編集するための番組履歴編集部１６１と、通信部１０を制御してＥＰＧデータを取得するためのＥＰＧ検索部１６２とを有する。
【００２０】
（メニュー表示画面の構成）
図３は、本発明の第１の実施の形態に関する記録再生装置の表示部に表示される表示画面を示す図である。
【００２１】
メニュー表示画面３００は、選択した番組をプレビューするテレビ画像表示部３１１と、スライダー３１２、ミュートスイッチ３１３、および出力切替スイッチ３１４を含む音量調整部３１５と、入力表示部３１６と、チャンネル表示部３１７と、録画データ等を操作する操作スイッチ群３１８とを含むプレーヤー部３１０と、受信可能な番組表を表示する番組一覧部３２０と、録画予約を入力および管理する録画予約管理部３３０と、録画済みのデータを管理する録画データ管理部３４０と、テレビ表示部３５０を有する。
【００２２】
メニュー表示画面３００は、電子機器１の液晶表示部２１０の一部として表示され、テレビ表示３５０をタッチパッド２０１等で選択し決定スイッチ２０２を押すことで表示全体をテレビ画像表示部３１１とすることができる。
【００２３】
図４は、本発明の第１の実施の形態におけるＥＰＧ取得後の記録再生装置のメニュー表示画面を示す図面である。
【００２４】
録画予約管理部３３０は、図２に示すＥＰＧ情報１５３より番組情報を参照することにより、録画予約番組の予約タイトルおよび録画予約番組の内容を参照できる番組内容ボタン３３０Ａを表示する機能を有する。
【００２５】
図５は、本発明の第１の実施の形態における記録再生装置のメニュー表示画面上での確認状態を示す図面である。
【００２６】
録画予約管理部３３０は、録画予約した番組が繰り返し番組である場合、一定の間隔で予約をするかどうかの確認を促すための決定画面３３１を表示する機能を有する。また、チェックボックスにチェックすることにより、それ以降は同番組に対して決定画面３３１を表示しない機能を有する。
【００２７】
繰り返し番組とは、ドラマ等の連続物、数回のシリーズからなる特別番組等のメインタイトルが同じ（またはほぼ同じ）番組群を指し、毎日、毎週、毎月、毎季、および毎年等のある周期をもって放送されるものをいう。
【００２８】
図６は、本発明の第１の実施の形態における記録再生装置のメニュー表示画面上での設定状態を示す図面である。
【００２９】
録画予約管理部３３０は、シリーズ録画予約をする場合、繰り返し番組を何回分予約するか設定を促す決定画面３３２を表示する機能を有する。
【００３０】
シリーズ録画予約とは、繰り返し番組をその番組の周期に従って録画予約することをいう。
【００３１】
（記録再生装置の動作）
以下に、本発明の第１の実施の形態における記録再生装置の動作を図１から図７を参照しつつ説明する。
【００３２】
（第１の実施の形態の動作）
図７は、本発明の第１の実施の形態における記録再生装置の動作を示すフローチャートである。
【００３３】
まず、番組予約をする場合、図３に示す録画予約管理部３３０においてチャンネル（ＣＨ）と予約日時、および画質を指定して番組を確定する（ｓ１１）。次に、ＥＰＧを使用して録画予約されたか制御部１６のＥＰＧ検索部１６２が判断する（ｓ１２）。
【００３４】
ＥＰＧを使用していない場合（ｓ１２；ＮＯ）は、ＥＰＧ検索部１６２が通信部１０を制御し、図示しない外部のＥＰＧサーバ等よりＥＰＧ情報１５３を取得して記憶部１５へ格納する。ＥＰＧ情報１５３より番組情報を参照することにより、図４の録画予約管理部３３０に示すように、録画予約番組の予約タイトルおよび録画予約番組の内容を参照できる番組内容ボタンが表示される（ｓ１３）。ＥＰＧを使用して録画している場合（ｓ１２；ＹＥＳ）は、動作を終了する。
【００３５】
次に、ＥＰＧ検索部１６２がＥＰＧ情報１５３を参照して一定の間隔（毎日、毎週、毎月、毎季、毎年）で繰り返し放送される番組であるか判断するか、または以前に録画した番組の情報が格納される録画番組履歴情報１５０を番組履歴編集部１６１にて参照して繰り返し放送されている番組であるか判断する（ｓ１４）。繰り返し番組であると判断された場合（ｓ１４；ＹＥＳ）は、図５に示すように決定画面３３１が表示され、一定の間隔で予約をするかどうかの確認を促す（ｓ１５）。この時、同タイトルの番組、もしくは同内容の番組の録画の度に確認を促す必要のない場合は、該当するチェックボックスにチェックして予約しないを選択することにより、それ以降は同番組に対して図７に示すフローの動作をキャンセルすることができる。また、繰り返し番組でないと判断された場合（ｓ１４；ＮＯ）は、動作を終了する。
【００３６】
次に、シリーズ録画予約をする場合（ｓ１５；ＹＥＳ）は、該当する番組の録画予約を自動で行い、図６に示すように、ＥＰＧ情報１５３に含まれる期間のうち何回分予約するか決定画面３３２により決定する（ｓ１６）。シリーズ録画予約をしない場合（ｓ１５；ＮＯ）は、動作を終了する。
【００３７】
図６に示すように、放送回によって（例えば、図６、１２／３１放送分）は番組放送時間を拡大する場合があるので、その場合はＥＰＧ情報１５３を参照して番組がすべて録画されるように予約時間を設定する。
【００３８】
一般にＥＰＧ情報１５３は２週間先までの情報であり、２週間を越えた録画をする場合は、録画番組履歴情報１５０および視聴番組履歴情報１５１より同一番組を検索し、放送パターンを取得し予約する。予約された番組には情報未確定のフラグを立て、次回に更新されたＥＰＧ情報１５３を取得した際に情報未確定のフラグの立った番組の情報を取得して録画予約を修正する。
【００３９】
例えば年に一度、または３ヶ月に一度放送される番組など、録画の際に参照するＥＰＧ情報が存在しない番組に関しては、録画番組履歴情報１５０および視聴番組履歴情報１５１を参照し、過去に一定の間隔で放送のある番組に関しては図５に示す決定画面３３１を表示し、録画予約を促す。
【００４０】
（第１の実施の形態の効果）
上記した実施の形態によると、ユーザーがＥＰＧを意識せず録画予約をした場合に、シリーズ録画予約に関してもＥＰＧを意識せずに実行することができる。
【００４１】
また、録画番組履歴情報１５０および視聴番組履歴情報１５１を記憶することにより、ＥＰＧ情報１５３に含まれない期間の予約に関しても繰り返しを予想できるため、年に一度の放送にも対応可能で、情報未確定フラグを立てることにより、より確実にシリーズ録画予約が可能となる。
【００４２】
また、図４に示すように録画予約管理部３３０に番組内容を表示するための番組内容ボタン３３０Ａを配置したことにより、ＥＰＧに馴染みのないユーザーでもＥＰＧの番組表に簡単にアクセスすることができる。
【００４３】
〔第２の実施の形態〕
（メニュー表示画面の構成）
図８は、本発明の第２の実施の形態における記録再生装置のメニュー表示画面上での確認状態を示す図面である。なお、以下の説明において、第１の実施の形態と同一の構成および機能を有する部分については共通の符号を付している。
【００４４】
チャンネル表示部３１７は、視聴中の番組が既定の視聴レートに達した繰り返し番組である場合、一定の間隔で予約をするかどうかの確認を促すための決定画面３３３を表示する機能を有する。また、チェックボックスにチェックすることにより、それ以降は同番組に対して決定画面３３３を表示しない機能を有する。
【００４５】
なお、ここで視聴レートとは、繰り返し番組を視聴している頻度、同一ジャンルの視聴頻度、または出演者による視聴頻度等のあるキーワードで分類された視聴頻度のこととする。頻度の定義は累積視聴回数や一定期間の視聴回数等から選択設定可能にしてもよい。
【００４６】
図９は、本発明の第２の実施の形態における記録再生装置のメニュー表示画面上での視聴確認状態を示す図面である。
【００４７】
チャンネル表示部３１７は、視聴中の番組をシリーズ録画予約しない場合、一定の間隔で視聴予約をするかどうかの確認を促すための決定画面３３４を表示する機能を有する。また、チェックボックスにチェックすることにより、それ以降は同番組に対して決定画面３３４を表示しない機能を有する。
【００４８】
（第２の実施の形態の動作）
図１０は、本発明の第２の実施の形態における記録再生装置の動作を示すフローチャートである。
【００４９】
まず、視聴中の番組の番組情報をＥＰＧ情報１５３より取得する（ｓ２１）。次に、番組履歴編集部１６１により視聴中の番組情報を視聴番組履歴情報１５１に追加し、視聴中番組の視聴回数を数える。視聴中の番組の視聴回数と、視聴期間より視聴レートを算出して視聴番組履歴情報１５１に保存する（ｓ２２）。次に、視聴中の番組の視聴レートが事前に設定してある視聴レートに達しているかどうかを番組履歴編集部１６１により検証する（ｓ２３）。
【００５０】
視聴レートが既定の値に達している場合（ｓ２３；ＹＥＳ）は、ＥＰＧ検索部１６２がＥＰＧ情報１５３を参照して、視聴中の番組が一定の間隔（平日、毎週、毎月、毎季、毎年）で繰り返し放送される番組であるか判断するか、または以前に録画した番組の情報が格納される録画番組履歴情報１５０を番組履歴編集部１６１にて参照してこれまで繰り返し放送されている番組であるか判断する（ｓ２４）。また、視聴レートが既定の値に達していない場合（ｓ２３；ＮＯ）、または既定の値に達していても繰り返し番組でない場合（ｓ２４；ＮＯ）は、動作を終了する。
【００５１】
次に、繰り返し番組であると判断された場合（ｓ２４；ＹＥＳ）は、図８に示すように決定画面３３３が表示され、一定の間隔で予約をするかどうかの確認を促す（ｓ２５）。次に、シリーズ録画予約をする場合（ｓ２５；ＹＥＳ）は、第１の実施の形態と同様に図６に示すように、ＥＰＧ情報１５３に含まれる期間のうち何回分予約するか決定画面３３２により決定し、録画予約を自動設定する（ｓ２６）。
【００５２】
また、シリーズ録画予約をしない場合（ｓ２５；ＮＯ）は、図９に示すように決定画面３３４が表示され、次回の同番組の視聴予約をするかどうか確認を促す（ｓ２７）。視聴予約する場合（ｓ２７；ＹＥＳ）は、次回放送の際に自動で放送チャンネルに切り替える（ｓ２８）。また、視聴予約しない場合（ｓ２７；ＮＯ）は、動作を終了する。
【００５３】
（第２の実施の形態の効果）
上記した実施の形態によると、ユーザーがＥＰＧを意識せず番組を視聴した場合に、繰り返し放送される番組の視聴、およびシリーズ録画予約に関してもＥＰＧを意識せずに実行することができる。
【図面の簡単な説明】
【００５４】
【図１】本発明の第１の実施の形態に係る電子機器としてのノート型パーソナルコンピュータの概略構成図である。
【図２】本発明の第１の実施の形態に関する記録再生装置の概略構成図である。
【図３】本発明の第１の実施の形態に関する記録再生装置の表示部に表示される表示画面を示す図である。
【図４】本発明の第１の実施の形態におけるＥＰＧ取得後の記録再生装置のメニュー表示画面を示す図面である。
【図５】本発明の第１の実施の形態における記録再生装置のメニュー表示画面上での確認状態を示す図面である。
【図６】本発明の第１の実施の形態における記録再生装置のメニュー表示画面上での設定状態を示す図面である。
【図７】本発明の第１の実施の形態における記録再生装置の動作を示すフローチャートである。
【図８】本発明の第２の実施の形態における記録再生装置のメニュー表示画面上での確認状態を示す図面である。
【図９】本発明の第２の実施の形態における記録再生装置のメニュー表示画面上での視聴確認状態を示す図面である。
【図１０】本発明の第２の実施の形態における記録再生装置の動作を示すフローチャートである。
【符号の説明】
【００５５】
１…電子機器、１０…通信部、１１…チューナ部、１２…表示部、１３…表示制御部、１４…Ｉ／Ｆ部、１５…記憶部、１６…制御部、２０…本体部、２１…可動部、１００…記録再生装置、１５０…録画番組履歴情報、１５１…視聴番組履歴情報、１５２…録画映像情報、１５３…ＥＰＧ情報、１６１…番組履歴編集部、１６２…ＥＰＧ検索部、２００…文字入力部、２０１…タッチパッド、２０２…決定スイッチ、２０２Ａ…左スイッチ、２０２Ｂ…右スイッチ、２１０…液晶表示部、２１１…ヒンジ部、３００…メニュー表示画面、３１０…プレーヤー部、３１１…テレビ画像表示部、３１２…スライダー、３１３…ミュートスイッチ、３１４…出力切替スイッチ、３１５…音量調整部、３１６…入力表示部、３１７…チャンネル表示部、３１８…操作スイッチ群、３２０…番組一覧部、３３０…録画予約管理部、３３１…決定画面、３３２…決定画面、３３３…決定画面、３３４…決定画面、３４０…録画データ管理部、３５０…テレビ表示、３５０…テレビ表示部
【図１】
2007235193.tif 000003
【図２】
2007235193.tif 000004
【図３】
2007235193.tif 000005
【図４】
2007235193.tif 000006
【図５】
2007235193.tif 000007
【図６】
2007235193.tif 000008
【図７】
2007235193.tif 000009
【図８】
2007235193.tif 000010
【図９】
2007235193.tif 000011
【図１０】
2007235193.tif 000012